(57)【特許請求の範囲】
【請求項１】
光伝送網（ＯＴＮ）においてデータを送信する方法であって、
少なくとも一対の光チャネルデータユニット０（ＯＤＵ０）を取得するステップと、
前記少なくとも一対のＯＤＵ０を光チャネルデータトリビュタリユニット（ＯＤＴＵ）にマッピングしてＯＤＴＵｖｋｔを形成するステップと、を有し、ここでｋは１以上であり、ｔは２または３であり、ｋはｔより小さく、前記ＯＤＴＵｖｋｔの外部構造は光チャネルデータトリビュタリユニットｋｔ（ＯＤＴＵｋｔ）の外部構造と同一であり、
前記ＯＤＴＵｖｋｔを１．２５Ｇのタイムスロットサイクルの光チャネルデータユニットｔ（ＯＤＵｔ）のタイムスロットｉおよびタイムスロットｉ＋ｎにマッピングし、前記タイムスロットｉにおいて伝達される少なくとも一対のＯＤＵ０のタイプを光チャネルデータユニットｋ（ＯＤＵｋ）であると表示し、前記ＯＤＵｋを宛先ノードに送信するステップをさらに有し、ここでｎは２．５ＧのタイムスロットサイクルのＯＤＵｔにおけるタイムスロット数である方法。
【請求項２】
前記少なくとも一対のＯＤＵ０をＯＤＴＵにマッピングしてＯＤＴＵｖｋｔを形成するステップは、
前記少なくとも一対のＯＤＵ０におけるデータストリームをＯＤＴＵにマッピングしてＯＤＴＵｖｋｔを形成するステップと、
前記少なくとも一対のＯＤＵ０の調整制御（ＪＣ）表示、対応する調整機会（ＪＯ）表示、およびフレーム整列（ＦＡ）表示を前記ＯＤＴＵｖｋｔに付加するステップと、
を有する請求項１に記載の方法。
【請求項３】
前記一対のＯＤＵ０のＪＣ表示、対応するＪＯ表示、およびＦＡ表示を前記ＯＤＴＵｖｋｔに付加するステップは、
前記一対のＯＤＵ０における１つのＯＤＵ０のＪＣ表示、対応するＪＯ表示、およびＦＡ表示をｎ個のマルチフレームサイクルが奇数サイクルであるＯＤＴＵｖｋｔに付加するステップと、
前記一対のＯＤＵ０における他のＯＤＵ０のＪＣ表示、対応するＪＯ表示、およびＦＡ表示をｎ個のマルチフレームサイクルが偶数サイクルであるＯＤＴＵｖｋｔに付加するステップと、
を有する請求項２に記載の方法。
【請求項４】
前記タイムスロットｉ＋ｎにおいて伝達される少なくとも一対のＯＤＵ０のタイプをＯＤＵ０であると表示するステップをさらに有する請求項１から３のいずれか一項に記載の方法。
【請求項５】
少なくとも一対の光チャネルデータユニット０（ＯＤＵ０）を取得するように構成されたデータ取得ユニットと、
前記データ取得ユニットによって取得された少なくとも一対のＯＤＵ０を光チャネルデータトリビュタリユニット（ＯＤＴＵ）にマッピングしてＯＤＴＵｖｋｔを形成するように構成されたマッピングユニットと、を備え、ここでｋは１以上であり、ｔは２または３であり、ｋはｔより小さく、前記ＯＤＴＵｖｋｔの外部構造は光チャネルデータトリビュタリユニットｋｔ（ＯＤＴＵｋｔ）の外部構造と同一であり、
前記マッピングユニットによって形成されたＯＤＴＵｖｋｔを１．２５Ｇのタイムスロットサイクルの光チャネルデータユニットｔ（ＯＤＵｔ）のタイムスロットｉおよびタイムスロットｉ＋ｎにマッピングし、前記タイムスロットｉにおいて伝達される少なくとも一対のＯＤＵ０のタイプを光チャネルデータユニットｋ（ＯＤＵｋ）であると表示し、前記ＯＤＵｋを宛先ノードに送信するように構成されたマッピングおよび伝送ユニットをさらに備え、ここでｎは２．５ＧのタイムスロットサイクルのＯＤＵｔにおけるタイムスロット数であるネットワークノード。
【請求項６】
前記マッピングユニットは、
前記データ取得ユニットによって取得された一対のＯＤＵ０におけるデータストリームをＯＤＴＵにマッピングして前記ＯＤＴＵｖｋｔを形成するように構成されたデータマッピングユニットと、
前記一対のＯＤＵ０の調整制御（ＪＣ）表示、対応する調整機会（ＪＯ）表示、およびフレーム整列（ＦＡ）表示を前記データマッピングユニットによって形成されたＯＤＴＵｖｋｔに付加するように構成された表示付加ユニットと、
を備える請求項５に記載のネットワークノード。
【請求項７】
２．５Ｇのタイムスロット構造のネットワークノードによって送信される光チャネルデータユニットｔ（ＯＤＵｔ）を受信するように構成されたデータ受信ユニットを備え、ここで前記ＯＤＵｔは光チャネルデータトリビュタリユニット（ＯＤＴＵ）を伝達し、ｔは２または３であり、
前記データ受信ユニットによって受信されたＯＤＵｔにおいて伝達されるＯＤＴＵが少なくとも一対の光チャネルデータユニット０（ＯＤＵ０）を含むことを判定するように構成された判定ユニットと、
前記ＯＤＴＵが前記少なくとも一対のＯＤＵ０を含むと前記判定ユニットが判定したならば、前記少なくとも一対のＯＤＵ０を取得するように構成された取得ユニットと、
をさらに備えるネットワークノード。
【請求項８】
前記判定ユニットは、
前記ＯＤＴＵを調査してフレーム整列（ＦＡ）表示を取得するように構成された調査ユニットと、
前記調査ユニットによって発見されたＦＡ表示を予め設定されたＦＡ表示と比較し、前記ＦＡ表示が前記少なくとも一対のＯＤＵ０のＦＡ表示と同一であるならば、前記ＯＤＴＵが前記少なくとも一対のＯＤＵ０を搬送していると判定するように構成された比較および判定ユニットと、
を備える請求項７に記載のネットワークノード。
【請求項９】
光伝送網（ＯＴＮ）においてデータを送信するシステムであって、
送信ネットワークノードと、２．５Ｇのタイムスロット構造の伝送ネットワークノードと、１．２５Ｇのタイムスロット構造の受信ネットワークノードと、を備え、
前記送信ネットワークノードは、少なくとも一対の光チャネルデータユニット０（ＯＤＵ０）を取得し、前記少なくとも一対のＯＤＵ０を光チャネルデータトリビュタリユニット（ＯＤＴＵ）にマッピングしてＯＤＴＵｖｋｔを形成するように構成され、ここでｋは１以上であり、ｔは２または３であり、ｋはｔより小さく、前記ＯＤＴＵｖｋｔの外部構造は光チャネルデータトリビュタリユニットｋｔ（ＯＤＴＵｋｔ）の外部構造と同一であり、前記送信ネットワークノードは、前記ＯＤＴＵｖｋｔを１．２５Ｇのタイムスロットサイクルの光チャネルデータユニットｔ（ＯＤＵｔ）のタイムスロットｉおよびタイムスロットｉ＋ｎにマッピングし、前記タイムスロットｉにおいて伝達される少なくとも一対のＯＤＵ０のタイプを光チャネルデータユニットｋ（ＯＤＵｋ）であると表示し、前記ＯＤＵｋを宛先ノードに送信するように構成され、ここでｎは２．５ＧのタイムスロットサイクルのＯＤＵｔにおけるタイムスロット数であり、
前記２．５Ｇのタイムスロット構造の伝送ネットワークノードは、前記送信ネットワークノードによって送信されるＯＤＵｔを受信し、前記ＯＤＵｔを逆多重化して前記タイムスロットｉにおいて伝達される光チャネルデータユニット（ＯＤＵ）のタイプについての表示を取得し、前記ＯＤＵのタイプがＯＤＵｋであると表示されているならば、前記ＯＤＵｋを処理する方法に従って前記タイムスロットｉのデータを処理し、前記処理されたＯＤＵｔを前記受信ネットワークノードに送信するように構成され、
前記１．２５Ｇのタイムスロット構造の受信ネットワークノードは、前記ＯＤＵｔを受信し、前記ＯＤＵｔにおけるＯＤＴＵが前記少なくとも一対のＯＤＵ０を含むか否かを判定し、前記ＯＤＴＵから前記少なくとも一対のＯＤＵ０を取得するように構成されたシステム。
【発明の詳細な説明】
【技術分野】
【０００１】
本発明は、通信技術に関し、特に、光伝送網（ＯＴＮ(Optical Transport Network)）においてデータを送信する方法、システム、および装置に関する。
【背景技術】
【０００２】
ＯＴＮ技術は次世代伝送網の核技術とされている。ＯＴＮは強力なタンデムコネクションモニタリング（ＴＣＭ(Tandem Connection Monitoring)）機能、豊富な運用管理保守（ＯＡＭ(Operation Administration Maintenance)）機能、およびバンド外前方誤り訂正（ＦＥＣ(Forward Error Correction)）機能を提供し、大容量サービスを柔軟にスケジュールおよび管理することができる。
【０００３】
ＯＴＮ技術は、電気処理レイヤの技術および光処理レイヤの技術を含む。電気処理レイヤにおいて、ＯＴＮ技術は、クライアントの信号を効果的に管理および監視する「デジタルエンベロープ」構造を定義する。図１は、ＯＴＮ標準フレームの構造を表わす。ＯＴＮフレームは、４０８０×４のモジュール式構造、すなわち、光チャネルデータユニットｋ（ＯＤＵｋ）である。ＯＤＵｋは、フレーム整列機能を提供するフレーム整列信号（ＦＡＳ(Frame Alignment Signal)）、ＯＴＵレベルの網管理機能を提供する光チャネル伝送ユニットｋ（ＯＴＵｋ）オーバヘッド、維持管理および運用機能を提供するＯＤＵｋオーバヘッド、およびサービス適用機能(service adaptation function)を提供する光チャネルペイロードユニットｋ（ＯＰＵｋ）オーバヘッド、サービスベアリング機能(service bearing function)を提供する、ＯＴＮフレームペイロードエリアとしても知られているＯＰＵｋペイロードエリア、および誤りを検出および訂正する機能を提供するＦＥＣバイトを含む。係数ｋは、サポートされるビットレートおよび異なるＯＰＵｋ、ＯＤＵｋ、ＯＴＵｋを表わし、例えば、ｋ＝１は２．５Ｇｂｐｓのビットレート、ｋ＝２は１０Ｇｂｐｓのビットレート、ｋ＝３は４０Ｇｂｐｓのビットレートを示す。
【０００４】
標準は、２．５Ｇの粒度での時分割をサポートするＯＰＵｋタイムスロット構造を定義している。すなわち、ＯＰＵ２（ＯＤＵ２）のサイクリックなタイムスロットは４個のタイムスロットに分割され、ＯＰＵ３（ＯＤＵ３）のサイクリックなタイムスロットは１６個のタイムスロットに分割される。ＯＴＮにおいて低速サービスを送信するために、標準は、１．２５Ｇレベルの新たなＯＤＵ（すなわちＯＤＵ０）を定式化している。対応するＯＰＵｋタイムスロット構造は１．２５Ｇの粒度でのタイムスロット分割をサポートすることができる。すなわち、ＯＰＵ１（またはＯＤＵ１）のサイクリックなタイムスロットは２個のタイムスロットに分割され、ＯＰＵ２（またはＯＤＵ２）のサイクリックなタイムスロットは８個のタイムスロットに分割され、ＯＰＵ３（またはＯＤＵ３）のサイクリックなタイムスロットは３２個のタイムスロットに分割され、ＯＰＵ４（またはＯＤＵ４）のサイクリックなタイムスロットは８０個のタイムスロットに分割される。
【０００５】
ＯＴＮにおいて、１．２５Ｇのタイムスロット構造のネットワークノードと２．５Ｇのタイムスロット構造のネットワークノードの間での通信において、１．２５Ｇのタイムスロット構造のネットワークノードはジェネリックフレーミングプロシージャ（ＧＦＰ）マッピングモードを使用し、パケットサービス信号をＯＤＵｋにカプセル化し、ＯＤＵｋを光チャネルデータトリビュタリユニットｋｔ（ＯＤＴＵｋｔ(Optical Channel Data Tributary Unit-kt)）にマッピングし、ここでｔはｋより大きく、最後に、ＯＤＴＵｋｔを１．２５ＧレベルのＯＤＵｔのサイクリックなタイムスロット内のタイムスロットｉおよびタイムスロットｉ＋ｎにマッピングし（ｎは２．５ＧレベルのＯＤＵｔのタイムスロットのサイクル数であり、ｉの値は１とｎの間にある）、ＯＤＴＵｋｔを宛先ノードに送信する。ここで、２．５Ｇのタイムスロット構造のネットワークノードは１．２５Ｇのタイムスロット構造のネットワークノードによって送信されるＯＤＵｔを受信し、タイムスロット１からタイムスロットｎに含まれるＯＤＵｔの表示のみを識別し、ＯＤＵｔを処理する。
【発明の概要】
【発明が解決しようとする課題】
【０００６】
本発明を開発する過程において、発明者は次を発見した。標準において定義されている２．５Ｇおよび１．２５Ｇのタイムスロット構造において、ＯＰＵ２のタイムスロット構造はＯＰＵ３のそれと異なる。従って、１．２５Ｇのタイムスロット構造において新たに定義されたＯＤＵ０が、１．２５Ｇのタイムスロット構造においてＯＰＵ２またはＯＰＵ３を通して伝達された後、２．５Ｇのタイムスロットのネットワークにおいて送信されるとき、送信が制限されるが、１．２５Ｇのタイムスロット構造の利用範囲を制限する２．５Ｇのタイムスロット構造の装置は、ネットワーク内に大量に配備されている。
【課題を解決するための手段】
【０００７】
本発明の実施形態は、ＯＴＮにおいてデータを送信する方法、システム、および装置を提供する。従って、２．５Ｇのタイムスロットのネットワークにおいて新たな１．２５Ｇのタイムスロット構造を送信することができ、１．２５Ｇのタイムスロット構造はより広い範囲で適用可能である。
【０００８】
本発明の一実施形態における、ＯＴＮにおいてデータを送信する方法は、
少なくとも一対のＯＤＵ０を取得するステップと、
前記少なくとも一対のＯＤＵ０をＯＤＴＵにマッピングしてＯＤＴＵｖｋｔを形成するステップと、を含み、ここでｋは１以上であり、ｔは２または３であり、前記ＯＤＴＵｖｋｔの外部構造はＯＤＴＵｋｔの外部構造と同一であり、
前記ＯＤＴＵｖｋｔを１．２５ＧのタイムスロットサイクルのＯＤＵｔのタイムスロットｉおよびタイムスロットｉ＋ｎにマッピングし、前記タイムスロットｉにおいて伝達される少なくとも一対のＯＤＵ０のタイプをＯＤＵｋであると表示し、前記ＯＤＵｋを宛先ノードに送信するステップをさらに含み、ここでｎは２．５ＧのタイムスロットサイクルのＯＤＵｔにおけるタイムスロット数である。
【０００９】
本発明の一実施形態における、ＯＴＮにおいてデータを送信する方法は、
２．５Ｇのタイムスロット構造のネットワークノードによって送信されるＯＤＵｔを受信するステップを含み、ここで前記ＯＤＵｔはＯＤＴＵを伝達し、
前記ＯＤＴＵが少なくとも一対のＯＤＵ０を含むか否かを検査するステップと、
前記ＯＤＴＵから前記少なくとも一対のＯＤＵ０を取得するステップと、をさらに含み、ここでｔは２または３である。
【００１０】
本発明の一実施形態において提供されるネットワークノードは、
少なくとも一対のＯＤＵ０を取得するように構成されたデータ取得ユニットと、
前記データ取得ユニットによって取得された少なくとも一対のＯＤＵ０をＯＤＴＵにマッピングしてＯＤＴＵｖｋｔを形成するように構成されたマッピングユニットと、を含み、ここでｋは１以上であり、ｔは２または３であり、前記ＯＤＴＵｖｋｔの外部構造はＯＤＴＵｋｔの外部構造と同一であり、
前記マッピングユニットによって形成されたＯＤＴＵｖｋｔを１．２５ＧのタイムスロットサイクルのＯＤＵｔのタイムスロットｉおよびタイムスロットｉ＋ｎにマッピングし、前記タイムスロットｉにおいて伝達される少なくとも一対のＯＤＵ０のタイプをＯＤＵｋであると表示し、前記ＯＤＵｋを宛先ノードに送信するように構成されたマッピングおよび伝送ユニットをさらに含み、ここでｎは２．５ＧのタイムスロットサイクルのＯＤＵｔにおけるタイムスロット数である。
【００１１】
本発明の一実施形態において提供されるネットワークノードは、
２．５Ｇのタイムスロット構造のネットワークノードによって送信されるＯＤＵｔを受信するように構成されたデータ受信ユニットを含み、ここで前記ＯＤＵｔはＯＤＴＵを伝達し、ｔは２または３であり、
前記データ受信ユニットによって受信されたＯＤＵｔにおいて伝達されるＯＤＴＵが少なくとも一対のＯＤＵ０を含むか否かを判定するように構成された判定ユニットと、
前記ＯＤＴＵが少なくとも一対のＯＤＵ０を含むと前記判定ユニットが判定したならば、前記少なくとも一対のＯＤＵ０を取得するように構成された取得ユニットと、をさらに含む。
【００１２】
本発明の実施形態において、ネットワークノードは、少なくとも一対のＯＤＵ０をＯＤＴＵにマッピングして、ＯＤＴＵｖｋｔの外部構造がＯＤＴＵｋｔの外部構造と同一であるようにＯＤＴＵｖｋｔを形成し、ＯＤＴＵｖｋｔを１．２５ＧのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信する。２．５Ｇのタイムスロットのネットワークのみをサポートする装置がＯＤＵ２またはＯＤＵ３（ＯＤＵ２／３）を受信した後、タイムスロットｉにおいて伝達される少なくとも一対のＯＤＵ０のタイプはＯＤＵｋとして表示されているので、このタイムスロット内のデータは先行技術におけるＯＤＵｋの処理方法に従って処理される。本発明におけるデータ送信方法によって、ＯＤＵ２／３は１．２５Ｇのタイムスロット構造を使用してＯＤＵ０を搬送するとき、ＯＤＵ０は２．５Ｇのタイムスロット構造のみをサポートする装置を通過する。従って、ＯＤＵ０は２．５Ｇのタイムスロット構造のみをサポートする装置において送信することができ、１．２５Ｇのタイムスロット構造はより広い範囲において適用可能である。
【００１３】
本発明による技術的解決手段または先行技術をより明確にするために、本発明の実施形態または先行技術を説明する添付図面を以下に略述する。明らかに、添付図面は例示の目的のみのためであり、この技術分野の当業者は創作的な努力なしでそのような添付図面から他の図面を導き出すことができる。
【図面の簡単な説明】
【００１４】
【図１】先行技術におけるＯＴＮフレームの構造を表わす。
【図２】第１の方法の実施形態における、ＯＴＮにおいてデータを送信する方法のフローチャートである。
【図３】第２の方法の実施形態における、ＯＴＮにおいてデータを送信する方法のフローチャートである。
【図４】第２の方法の実施形態において形成されるＯＤＴＵｖ１３の構造を表わす。
【図５】第２の方法の実施形態においてＯＤＴＵｖ１３がＯＤＵ３にマッピングされた後の構造を表わす。
【図６】第２の方法の実施形態において形成されるもう１つのＯＤＴＵｖ１３の構造を表わす。
【図７】第３の方法の実施形態における、ＯＴＮにおいてデータを送信する方法のフローチャートである。
【図８】第３の方法の実施形態において形成されるＯＤＴＵｖ１２の構造を表わす。
【図９】第１の装置の実施形態において提供されるネットワークノードの構造を表わす。
【図１０】第２の装置の実施形態において提供されるネットワークノードの構造を表わす。
【図１１】第３の装置の実施形態において提供されるネットワークノードの構造を表わす。
【図１２】システムの実施形態における、ＯＴＮにおいてデータを送信するシステムの構造を表わす。
【発明を実施するための形態】
【００１５】
以下、添付図面を参照して、本発明による技術的解決手段を詳述する。明らかに、ここで与えられる実施形態は例示の目的のみのためであり、本発明の実施形態の全てではない。創作的な努力なしでここに与えられる実施形態からこの技術分野の当業者によって導き出すことができる全ての他の実施形態は、本発明の範囲内にある。
【００１６】
＜方法の実施形態１＞
この実施形態において、ＯＴＮにおいてデータを送信する方法が提供される。この実施形態において、ネットワークノードは１．２５Ｇのタイムスロット構造によってデータを搬送し、そのデータを送信する。ネットワークノードは１．２５Ｇのタイムスロットのネットワークをサポートする装置である。図２に表わされているように、この方法は次のステップを含む。
【００１７】
ステップ１０１：ネットワークノードは少なくとも一対のＯＤＵ０を取得する。
ネットワークノードは、Ｇ．７０９  改訂３  １７．７．１節における方法に従って、クライアントの信号をＯＤＵ０にマッピングし、または、より高い次数のＯＤＵｋを通して他のノードによって送信されるＯＤＵ０を受信する。ローカルに生成されたＯＤＵ０と受信したＯＤＵ０の間の周波数の逸脱は＋２０ｐｐｍと−２０ｐｐｍの間にある。
【００１８】
ステップ１０２：ネットワークノードは少なくとも一対のＯＤＵ０をＯＤＴＵにマッピングしてＯＤＴＵｖｋｔを形成し、ここでｋは１以上であり、ｔは２または３であり、ＯＤＴＵｖｋｔの外部構造はＯＤＴＵｋｔの外部構造と同一である。
ＯＤＵｋがＯＤＵｔにマッピングされる前に、ＯＤＵｋはＯＤＴＵｋｔにマッピングされる必要がある。その後、ＯＤＴＵｋｔはＯＤＵｔにマッピングされ、ここでｋはｔより小さい。ＯＤＴＵｖｋｔの外部構造はＯＤＴＵｋｔの外部構造と同一であるが、内部構造は異なり、ここでｖは必須の意味を表わしていないが、ＯＤＴＵをＯＤＴＵｋｔから異ならせる。ここで同一の外部構造は、同一数の行および列、同一位置の固定されたフィラー(filler)の列、同一の構造および表示規則の全体の調整制御（ＪＣ(Justification Control)）表示を言う。
一対のＯＤＵ０の外部構造はＯＤＵ１の外部構造にほぼ等しい。例えば、一対のＯＤＵ０はＯＤＴＵにマッピングされて外部構造がＯＤＴＵ１ｔの外部構造と同一であるＯＤＴＵｖ１ｔを形成する。
【００１９】
ステップ１０３：ネットワークノードは、ＯＤＴＵｖｋｔを１．２５ＧのタイムスロットサイクルのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信し、ここでｎは２．５ＧのタイムスロットサイクルのＯＤＵｔにおけるタイムスロット数である。
【００２０】
ＯＤＴＵｖｋｔおよびＯＤＴＵｋｔは同一の外部構造を有するので、ＯＤＴＵｖｋｔを１．２５ＧのＯＤＵｔのタイムスロットｉおよびタイムスロットｉ＋ｎにマッピングする方法は、先行技術においてＯＤＴＵｋｔを１．２５ＧのＯＤＵｔのタイムスロットに多重化する方法と同一である。
【００２１】
１．２５ＧのタイムスロットサイクルのＯＤＵｔにおけるタイムスロット数がｘであるならば、ｉの値は１とｘ／２の間にあることが理解できる。例えば、ｔが２に等しいならば、ｉの値は１と４の間にあり、ｔが３に等しいならば、ｉの値は１と１６の間にある。
【００２２】
本発明の実施形態において、ネットワークノードは、少なくとも一対のＯＤＵ０をＯＤＴＵにマッピングして、ＯＤＴＵｖｋｔの外部構造がＯＤＴＵｋｔの外部構造と同一であるようにＯＤＴＵｖｋｔを形成し、ＯＤＴＵｖｋｔを１．２５ＧのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信する。２．５Ｇのタイムスロットのネットワークのみをサポートする装置がＯＤＵ２／３を受信した後、タイムスロットｉにおいて伝達される少なくとも一対のＯＤＵ０のタイプはＯＤＵｋとして表示されているので、このタイムスロット内のデータは先行技術におけるＯＤＵｋの処理方法に従って処理される。本発明におけるデータ送信方法によって、ＯＤＵ２／３は１．２５Ｇのタイムスロット構造を使用してＯＤＵ０を搬送するとき、ＯＤＵ０は２．５Ｇのタイムスロット構造のみをサポートする装置を通過する。従って、ＯＤＵ０は２．５Ｇのタイムスロット構造のみをサポートする装置において送信することができ、１．２５Ｇのタイムスロット構造はより広い範囲において適用可能である。
【００２３】
理解を容易にするために、続く実施形態は、ＯＴＮにおける３つのネットワークノード（送信ネットワークノード、伝送ネットワークノード、受信ネットワークノード）によってデータが送信され、ここで送信ネットワークノードおよび受信ネットワークノードは１．２５Ｇのタイムスロットのネットワークをサポートし、伝送ネットワークノードは２．５Ｇのタイムスロットのネットワークのみをサポートすると仮定する。
【００２４】
＜方法の実施形態２＞
この実施形態において、ＯＴＮにおいてデータを送信する方法が開示される。この実施形態において、ｔは３であり、ｋは１であり、従って、ｎは１６であり、ｉの値は１から１６の範囲内である。図３に表わされているように、この方法は次のステップを含む。
【００２５】
ステップ２０１：送信ネットワークノードは一対のＯＤＵ０、すなわち、以下、一対のＯＤＵ０と呼ばれるＯＤＵ０ａおよびＯＤＵ０ｂを取得する。
この実施形態において、ｋは１に等しいと仮定する。従って、２つのＯＤＵ０が取得される必要がある。
【００２６】
ステップ２０２：送信ネットワークノードは一対のＯＤＵ０をＯＤＴＵにマッピングして、外部構造がＯＤＴＵ１３の外部構造と同一であるＯＤＴＵｖ１３を形成する。
【００２７】
送信ネットワークノードは次のステップによって一対のＯＤＵ０をマッピングすることが可能であることが理解できる（図４は、形成されたＯＤＴＵｖ１３の構造を表わす）。
【００２８】
Ａ．一対のＯＤＵ０におけるデータストリームをＯＤＴＵにマッピングしてＯＤＴＵｖ１３を形成する。
形成されたＯＤＴＵｖ１３の外部構造はＯＤＴＵ１３の外部構造、すなわち、２３８列×６４行と同一である。ＯＤＵ０ａにおけるデータストリームは、図４において斜線の列で表わされているように、ＯＤＴＵｖ１３におけるタイムスロットａにマッピングされる。ＯＤＵ０ｂにおけるデータストリームは、図４において横線の列で表わされているように、ＯＤＴＵｖ１３におけるタイムスロットｂにマッピングされる。中央の列１１９および列１２０において固定された詰め込み(stuffing)が実行される。ＯＤＴＵｖ１３の１６フレームのマルチフレームサイクルを表示するために、マルチフレーム整列信号（ＭＦＡＳ(Multi Frame Alignment Signal)）のビット５〜８（すなわち、００００から１１１１のサイクル）が使用される。ＪＣバイトのビット７およびビット８はＯＤＴＵｖ１３の全体の周波数の逸脱の調整を表示する。
【００２９】
Ｂ．一対のＯＤＵ０のＪＣ表示、対応する調整機会（ＪＯ(Justification Opportunity)）表示、およびフレーム整列（ＦＡ）表示をＯＤＴＵｖ１３に付加する。
ＯＤＵ０と、ＯＤＵ３に多重化されたＯＤＴＵｖ１３の間のクロック周波数の差の補償のために、ＯＤＴＵｖ１３の列１２０に、一対のＯＤＵ０の調整制御表示（それぞれ３つのバイトを占めるＪＣａおよびＪＣｂ）が付加され、列１２０および列１１７の一部に、対応する正／負の調整機会表示（それぞれ１バイトを占めるＮＪＯａ／ＰＪＯａおよびＮＪＯｂ／ＰＪＯｂ）が付加される。データが２．５Ｇのタイムスロットのネットワークを通過した後、１．２５ＧのタイムスロットのネットワークがＯＤＴＵｖ１３のフレーム構造を識別するために、列１２０にＦＡ表示（それぞれ４バイトを占めるＦＡａ／ＦＡｂ）を付加することが可能である。ＦＡａの４バイトはＦ６、２８、Ｆ６、２８として定義することが可能であり、ＦＡｂの４バイトは０９、Ｄ７、０９、Ｄ７として定義することが可能である。ＮＪＯａ／ＰＪＯａ／ＪＣａおよびＮＪＯｂ／ＰＪＯｂ／ＪＣｂの位置は図４における位置に限定されず、ＦＡａおよびＦＡｂは他の値を有することが可能であることが理解できる。
【００３０】
ＪＣａ（またはＪＣｂ）のビット７およびビット８は調整機会バイトＮＪＯａ／ＰＪＯａ（またはＮＪＯｂ／ＰＪＯｂ）の内容を表示する。ここでのＪＣａおよびＪＣｂはＯＤＴＵｖ１３のＪＣ表示規則と同一である。詳細な表示の値は表１に表わされている。
【００３１】
【表１】
0005547214.tif 000002
【００３２】
計算によって、ＯＤＴＵｖ１３におけるタイムスロットａおよびタイムスロットｂのレートは（（２３８−２）／２／３８０８）×２３８／２３６×１６×２．４８８３２０＝１．２４４１６０±２０ｐｐｍであることが知られている。このタイムスロットのレートは、最大で±４０ｐｐｍだけＯＤＵ０の周波数から逸脱している。一対のＮＪＯａ／ＰＪＯａまたはＮＪＯｂ／ＰＪＯｂによって補償することができる周波数の逸脱の範囲は±２／１５２３２＝±１３２ｐｐｍである。一対のＯＤＵ０とＯＤＴＵｖ１３の間の非同期な周波数の逸脱はＮＪＯａ／ＰＪＯａおよびＮＪＯｂ／ＰＪＯｂによって補償されているので、ＯＤＴＵｖ１３はＯＤＵ３とソースを共有するローカルクロックによって生成することが可能である。従って、ＯＤＴＵｖ１３の全てのＪＣバイトの値は固定的に００に設定することが可能であり、すなわち、調整は必要とされない。
【００３３】
ステップ２０３：送信ネットワークノードは、ＯＤＴＵｖ１３を１．２５ＧのＯＤＵ３のタイムスロットｉおよびタイムスロットｉ＋１６にマッピングする。マッピング方法は、先行技術においてＧ．７０９のＯＤＴＵ１３をＯＤＵ３にマッピングする方法と同一である。また、固定値“００”を有するＪＣバイトは、ＯＤＵ３のＯＰＵ３オーバヘッド内のＪＣバイトを保持するためのエリアにマッピングされる。送信ネットワークノードは、タイムスロットｉにおいて伝達される少なくとも一対のＯＤＵ０のタイプをＯＤＵ１であると表示し、ＯＤＵ１を宛先ノードに送信し、ここで１６は２．５ＧのサイクルのＯＤＵ３におけるタイムスロット数である。
【００３４】
図５に表わされているように、１．２５ＧのＯＤＵ３におけるサイクルは３２個のタイムスロットを有する。送信ネットワークノードはＯＤＴＵｖ１３をタイムスロットｉおよびタイムスロットｉ＋１６に多重化する。また、ＯＤＴＵ１３はタイムスロットｍおよびタイムスロットｍ＋１６に多重化することが可能であり、ＯＤＴＵ２３はタイムスロットｒ、タイムスロットｓ、タイムスロットｔ、タイムスロットｕ、タイムスロットｒ＋１６、タイムスロットｓ＋１６、タイムスロットｔ＋１６、タイムスロットｕ＋１６に多重化することが可能であり、ここでＯＤＴＵ１３、ＯＤＴＵｖ１３、およびＯＤＴＵ２３のタイムスロットは互いに衝突を避ける必要がある。
【００３５】
ＯＤＴＵ１３、ＯＤＴＵｖ１３、およびＯＤＴＵ２３が３２個のタイムスロットにマッピングされた後、各タイムスロットおよび各タイムスロットにおいて伝達されるＯＤＵを識別することによってＯＤＵ３の多重化構造を表示する必要がある。ここで、データが宛先ノードに送信された後、対応する処理が実行される必要がある。表２はＯＤＵ３の多重化構造表示（ＭＳＩ）を表わす。
【００３６】
【表２】
0005547214.tif 000003
【００３７】
表２において、ＰＳＩ［ｉ］は、タイムスロットが割り当てられるＯＤＵ３におけるＯＰＵ３の構造を表示する。タイムスロット１〜４およびタイムスロット１７〜２０は８個のＯＤＵ０を搬送し、ここでタイムスロット１〜４において伝達されるＯＤＵのタイプはＯＤＵ１を表示する００として表わされ、タイムスロット１７〜２０において伝達されるＯＤＵのタイプはＯＤＵ０を表示する１１として表わされる。タイムスロット５〜８およびタイムスロット２１〜２４は４個のＯＤＵ１を搬送し、ここでＯＤＵのタイプはＯＤＵ１を表示する００として表わされる。タイムスロット９〜１２およびタイムスロット２５〜２８はＯＤＵ２を搬送し、ここでＯＤＵのタイプはＯＤＵ２を表示する０１として表わされる。残りのタイムスロット１３〜１６およびタイムスロット２９〜３２は４個のＯＤＵ１を搬送する。
【００３８】
ステップ２０４：２．５Ｇのタイムスロット構造の伝送ネットワークノードはＯＤＵ３を受信し、それを逆多重化してタイムスロットｉにおいて伝達されるＯＤＵのタイプの表示を取得する。伝送ネットワークノードはタイムスロット１〜１６に対応するＭＳＩのみを識別し、他のタイムスロットについての表示を無視する。タイムスロットｉの表示が００であるならば、伝送ネットワークノードは、先行技術においてＯＤＵ１を処理する方法に従ってこのタイムスロットのデータについて外部処理を実行する。例えば、伝送ネットワークノードはそれらをスケジュールし、ＯＤＵ３に含まれるＯＤＴＵｖ１３およびＯＤＴＵ１３を２．５ＧのＯＤＵ３のタイムスロットにマッピングし、ＯＤＵ３をさらなる処理のために下流の１．２５Ｇのタイムスロット構造の受信ネットワークノードに送信する。
【００３９】
光ネットワーク送信システムの設定に従って、２．５Ｇのタイムスロット構造の伝送ネットワークノードは、下流の１．２５Ｇのタイムスロット構造を転送する受信ネットワークノードとして（実際、２つのＯＤＵ０を伝達するＯＤＴＵｖ１３を含む）ＯＤＵ１を設定することが可能である。ステップ２０３において、送信ネットワークノードは、実際、ＯＤＴＵｖ１３を搬送するタイムスロットのＯＤＵのタイプをＯＤＵ１であると表示する。従って、伝送ネットワークノードは、ＯＤＵ１を処理する方法に従って、タイムスロット内のＯＤＴＵｖ１３について外部処理を実行し、ＯＤＵ１の監視に関係する管理オーバヘッドを処理しない。ＯＤＴＵｖ１３およびＯＤＴＵ１３は同一の外部構造を共有するので、ＯＤＴＵｖ１３を２．５ＧのＯＤＵ３のタイムスロットにマッピングする方法は、先行技術においてＯＤＴＵ１３を２．５ＧのＯＤＵ３のタイムスロットにマッピングする方法と同一である。
【００４０】
ステップ２０５：１．２５Ｇのタイムスロットの受信ネットワークノードは伝送ネットワークノードによって送信されるＯＤＵ３を受信する。上流から転送される２．５ＧのＯＤＴＵｖ１３およびＯＤＴＵ１３は同一の外部構造を共有するので、１．２５Ｇのタイムスロット構造の受信ネットワークノードは、ＯＤＵ３を受信した後、受信したＯＤＵ３が一対のＯＤＵ１または一対のＯＤＵ０を伝達しているか否かをさらに判定する必要がある。
【００４１】
具体的には、受信ネットワークノードは、受信されたＯＤＵ３によって伝達されるＯＤＴＵｖ１３およびＯＤＴＵ１３を調査してＦＡ表示を取得することが可能である。発見されたＦＡ表示を予め設定されたＦＡ表示と比較することによって、受信ネットワークノードはＯＤＵ３が一対のＯＤＵ１または一対のＯＤＵ０を伝達しているか否かを判定する。発見されたＦＡ表示が一対のＯＤＵ０の予め設定されたＦＡ表示と同一であり、かつ一対のＯＤＵ０のフレーム整列を遂行できるならば、受信ネットワークノードは、ＯＤＵ３が一対のＯＤＵ０を伝達していると判定し、ＯＤＵ３から一対のＯＤＵ０を取得する。具体的には、ＯＤＴＵｖ１３のフレーム構造表示に従って、ＦＡａおよびＦＡｂを基準として使用して、受信ネットワークノードはＪＣａ／ＮＪＯａ／ＰＪＯａ（およびＪＣｂ／ＮＪＯｂ／ＰＪＯｂ）のようなバイトの位置を発見し、ＪＣａ／ＪＣｂを読み取ることによってＯＤＵ０ａ／ＯＤＵ０ｂを分解する。発見されたＦＡ表示がＯＤＵ１フレームの予め設定されたＦＡ表示と同一であり、かつＯＤＵ１のフレーム整列を遂行できるならば、ＯＤＵ３は一対のＯＤＵ１を伝達していると判定される。処理方法は先行技術におけるＯＤＵ１の処理方法と同一とすることが可能である。
【００４２】
一実施形態において、上記ステップ２０２において、送信ネットワークノードは次のステップを実行して一対のＯＤＵ０をＯＤＴＵにマッピングしてＯＤＴＵｖ１３を形成することが可能である。形成されるＯＤＴＵｖ１３の構造は図６に表わされている。
【００４３】
送信ネットワークノードは、一対のＯＤＵ０における１つのＯＤＵ０のＪＣ表示、対応するＪＯ表示、およびＦＡ表示を１６個のマルチフレームサイクルが奇数サイクルであるＯＤＴＵｖ１３に付加し、
送信ネットワークノードは、一対のＯＤＵ０における他のＯＤＵ０のＪＣ表示、対応するＪＯ表示、およびＦＡ表示を１６個のマルチフレームサイクルが偶数サイクルであるＯＤＴＵｖ１３に付加する。
【００４４】
ＭＦＡＳのビット４は１６個のマルチフレームサイクルの奇数サイクルまたは偶数サイクルを表示する。ビット４が０であるとき列１２０の対応する位置はＪＣａ／ＮＪＯａ／ＰＪＯａであり、ビット４が１であるとき列１２０の対応する位置はＪＣｂ／ＮＪＯｂ／ＰＪＯｂである。ここで、一対のＮＪＯ／ＰＪＯの調整補償周波数の逸脱の範囲は±６５ｐｐｍである。周波数の逸脱の補償はより正確である。
【００４５】
この実施形態において、送信ネットワークノードは、一対のＯＤＵ０をＯＤＴＵにマッピングして、ＯＤＴＵｖ１３の外部構造がＯＤＴＵ１３の外部構造と同一であるようにＯＤＴＵｖ１３を形成し、ＯＤＴＵｖ１３を１．２５ＧのＯＤＵ３のタイムスロットｉおよびタイムスロットｉ＋１６にマッピングし、タイムスロットｉにおいて伝達される一対のＯＤＵ０のタイプをＯＤＵ１であると表示し、ＯＤＵ１を宛先ノードに送信する。２．５Ｇのタイムスロットのネットワークのみをサポートする伝送ネットワークノードがＯＤＵ３を受信した後、タイムスロットｉにおいて伝達される一対のＯＤＵ０のタイプはＯＤＵ１として表示されているので、このタイムスロット内のデータは先行技術におけるＯＤＵ１の処理方法に従って処理され、さらなる処理のために１．２５Ｇのタイムスロット構造の受信ネットワークノードに転送する。本発明におけるデータ送信方法によって、ＯＤＵ３は１．２５Ｇのタイムスロット構造を使用してＯＤＵ０を搬送するとき、ＯＤＵ０は２．５Ｇのタイムスロット構造のみをサポートする装置を通過することができる。従って、ＯＤＵ０は２．５Ｇのタイムスロット構造のみをサポートする装置において送信することができ、１．２５Ｇのタイムスロット構造はより広い範囲において適用可能である。
【００４６】
＜方法の実施形態３＞
この実施形態において、ＯＴＮにおいてデータを送信する方法が開示される。この実施形態において、ｔは２であり、ｋは１であり、従って、ｎは４であり、ｉの値は１から４の範囲内である。図７に表わされているように、この方法は次のステップを含む。
【００４７】
ステップ３０１：送信ネットワークノードは一対のＯＤＵ０、すなわち、以下、一対のＯＤＵ０と呼ばれるＯＤＵ０ａおよびＯＤＵ０ｂを取得する。
この実施形態において、ｋは１に等しいと仮定する。従って、２つのＯＤＵ０が取得される必要がある。
【００４８】
ステップ３０２：送信ネットワークノードは一対のＯＤＵ０をＯＤＴＵにマッピングして、外部構造がＯＤＴＵ１２の外部構造と同一であるＯＤＴＵｖ１２を形成する。
【００４９】
送信ネットワークノードは次のステップによって一対のＯＤＵ０をマッピングすることが可能であることが理解できる（図８は、形成されたＯＤＴＵｖ１２の構造を表わす）。
【００５０】
Ａ．一対のＯＤＵ０におけるデータストリームをＯＤＴＵにマッピングしてＯＤＴＵｖ１２を形成する。
形成されたＯＤＴＵｖ１２の外部構造はＯＤＴＵ１２の外部構造、すなわち、９５２列×１６行と同一である。ＯＤＵ０ａにおけるデータストリームは、図８において斜線の列で表わされているように、ＯＤＴＵｖ１２におけるタイムスロットａにマッピングされる。ＯＤＵ０ｂにおけるデータストリームは、図８において横線の列で表わされているように、ＯＤＴＵｖ１２におけるタイムスロットｂにマッピングされる。中央の列４７５〜４７７において固定された詰め込みが実行される。ＯＤＴＵｖ１２の４フレームのマルチフレームサイクルを表示するために、ＭＦＡＳのビット７およびビット８（すなわち、００から１１のサイクル）が使用される。ＪＣバイトのビット７およびビット８はＯＤＴＵｖ１２の全体の周波数の逸脱の調整を表示する。
【００５１】
Ｂ．一対のＯＤＵ０のＪＣ表示、対応する調整機会（ＪＯ）表示、およびフレーム整列（ＦＡ）表示をＯＤＴＵｖ１２に付加する。
ＯＤＴＵｖ１２の列４７８に、一対のＯＤＵ０のＪＣ表示（ＪＣａおよびＪＣｂ）が付加され、列４７８、列４７３、および列４７４の一部に、対応する正／負のＪＯ表示（ＮＪＯａ／ＰＪＯａおよびＮＪＯｂ／ＰＪＯｂ）が付加され、列４７８にＦＡ表示（ＦＡａ／ＦＡｂ）が付加される。ＮＪＯａ／ＰＪＯａ／ＪＣａおよびＮＪＯｂ／ＰＪＯｂ／ＪＣｂの位置は図８における位置に限定されず、ＦＡａおよびＦＡｂは他の値を有することが可能であることが理解できる。
【００５２】
ステップ３０３：送信ネットワークノードは、ＯＤＴＵｖ１２を１．２５ＧのＯＤＵ２のタイムスロットｉおよびタイムスロットｉ＋４にマッピングする。マッピング方法は、先行技術においてＧ．７０９のＯＤＴＵ１２をＯＤＵ２にマッピングする方法と同一である。また、固定値“００”を有するＪＣバイトは、ＯＤＵ２のＯＰＵ２オーバヘッド内のＪＣバイトを保持するためのエリアにマッピングされる。送信ネットワークノードは、タイムスロットｉにおいて伝達される少なくとも一対のＯＤＵ０のタイプをＯＤＵ１であると表示し、ＯＤＵ１を宛先に送信し、ここで４は２．５ＧのサイクルのＯＤＵ２におけるタイムスロット数である。
【００５３】
１．２５ＧのＯＤＵ２におけるサイクルは８個のタイムスロットを有する。送信ネットワークノードはＯＤＴＵｖ１２をタイムスロットｉおよびタイムスロットｉ＋４に多重化する。また、ＯＤＴＵ１２はタイムスロットｍおよびタイムスロットｍ＋４に多重化することが可能である。ＯＤＴＵ１２およびＯＤＴＵｖ１２のタイムスロットは互いに衝突を避ける必要がある。
【００５４】
ＯＤＴＵ１２およびＯＤＴＵｖ１２が８個のタイムスロットにマッピングされた後、ＯＤＵ２の多重化構造を表示する必要がある。表３はＯＤＵ２のＭＳＩを表わす。
【００５５】
【表３】
0005547214.tif 000004
【００５６】
表３において、タイムスロット１およびタイムスロット５は２個のＯＤＵ０を搬送する。タイムスロット１において伝達されるＯＤＵのタイプはＯＤＵ１を表示する００として表わされ、タイムスロット５において伝達されるＯＤＵのタイプはＯＤＵ０を表示する１１として表わされる。タイムスロット２〜４およびタイムスロット６〜８は３個のＯＤＵ１を搬送し、ＯＤＵのタイプはＯＤＵ１を表示する００として表わされる。
【００５７】
ステップ３０４：２．５Ｇのタイムスロット構造の伝送ネットワークノードはＯＤＵ２を受信し、それを逆多重化してタイムスロットｉにおいて伝達されるＯＤＵのタイプの表示を取得する。伝送ネットワークノードはタイムスロット１〜４に対応するＭＳＩのみを識別し、他のタイムスロットについての表示を無視する。タイムスロットｉの表示が００であるならば、伝送ネットワークノードは、先行技術におけるＯＤＵ１を処理する方法に従ってこのタイムスロットのデータについて外部処理を実行する。例えば、伝送ネットワークノードはそれらをスケジュールし、ＯＤＵ２に含まれるＯＤＴＵｖ１２およびＯＤＴＵ１２を２．５ＧのＯＤＵ２のタイムスロットにマッピングし、ＯＤＵ２をさらなる処理のために下流の１．２５Ｇのタイムスロット構造の受信ネットワークノードに送信する。
詳細な方法は、ステップ２０４においてＯＤＵ３およびＯＤＴＵｖ１３を処理する方法と同一である。
【００５８】
ステップ３０５：１．２５Ｇのタイムスロット構造の受信ネットワークノードは伝送ネットワークノードによって送信されるＯＤＵ２を受信し、ＯＤＵ２が一対のＯＤＵ１または一対のＯＤＵ０を伝達しているか否かをさらに判定する必要がある。
【００５９】
具体的には、受信ネットワークノードは、受信されたＯＤＵ２によって伝達されるＯＤＴＵｖ１２およびＯＤＴＵ１２を調査してＦＡ表示を取得することが可能である。発見されたＦＡ表示を予め設定されたＦＡ表示と比較することによって、受信ネットワークノードはＯＤＵ２が一対のＯＤＵ１または一対のＯＤＵ０を伝達しているか否かを判定する。発見されたＦＡ表示が一対のＯＤＵ０の予め設定されたＦＡ表示と同一であり、かつ一対のＯＤＵ０のフレーム整列を遂行できるならば、受信ネットワークノードは、ＯＤＵ２が一対のＯＤＵ０を伝達していると判定し、ＯＤＵ２から一対のＯＤＵ０（ＯＤＵ０ａ／ＯＤＵ０ｂ）を取得する。発見されたＦＡ表示がＯＤＵ１フレームの予め設定されたＦＡ表示と同一であり、かつＯＤＵ１のフレーム整列を遂行できるならば、ＯＤＵ２は一対のＯＤＵ１を伝達していると判定される。処理方法は先行技術におけるＯＤＵ１の処理方法と同一とすることが可能である。
【００６０】
この実施形態において、送信ネットワークノードは、一対のＯＤＵ０をＯＤＴＵにマッピングして、ＯＤＴＵｖ１２の外部構造がＯＤＴＵ１２の外部構造と同一であるようにＯＤＴＵｖ１２を形成し、ＯＤＴＵｖ１２を１．２５ＧのＯＤＵ２のタイムスロットｉおよびタイムスロットｉ＋４にマッピングし、タイムスロットｉにおいて伝達される一対のＯＤＵ０のタイプをＯＤＵ１であると表示し、ＯＤＵ１を宛先ノードに送信する。２．５Ｇのタイムスロットのネットワークのみをサポートする伝送ネットワークノードがＯＤＵ２を受信した後、タイムスロットｉにおいて伝達される一対のＯＤＵ０のタイプはＯＤＵ１として表示されているので、このタイムスロット内のデータは先行技術におけるＯＤＵ１の処理方法に従って処理され、さらなる処理のために１．２５Ｇのタイムスロット構造の受信ネットワークノードに転送する。本発明におけるデータ送信方法によって、ＯＤＵ２は１．２５Ｇのタイムスロット構造を使用してＯＤＵ０を搬送するとき、ＯＤＵ０は２．５Ｇのタイムスロット構造のみをサポートする装置を通過することができる。従って、ＯＤＵ０は２．５Ｇのタイムスロット構造のみをサポートする装置において送信することができ、１．２５Ｇのタイムスロット構造はより広い範囲において適用可能である。
【００６１】
＜装置の実施形態１＞
この実施形態においてネットワークノードが提供される。図９に表わされているように、ネットワークノードは、
少なくとも一対のＯＤＵ０を取得するように構成されたデータ取得ユニット１０と、
データ取得ユニット１０によって取得された少なくとも一対のＯＤＵ０をＯＤＴＵにマッピングしてＯＤＴＵｖｋｔを形成するように構成されたマッピングユニット１１と、を含み、ここでｋは１以上であり、ｔは２または３であり、ＯＤＴＵｖｋｔの外部構造はＯＤＴＵｋｔの外部構造と同一であり、ここで同一の外部構造は、同一数の行および列、同一位置の固定されたフィラーの列、同一の構造および表示規則の全体の調整制御（ＪＣ）表示を言い、
マッピングユニット１１によって形成されたＯＤＴＵｖｋｔを１．２５ＧのタイムスロットサイクルのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信するように構成されたマッピングおよび伝送ユニット１２をさらに含み、ここでｎは２．５ＧのタイムスロットサイクルのＯＤＵｔにおけるタイムスロット数である。
【００６２】
この実施形態において、ネットワークノードにおけるマッピングユニット１１は、少なくとも一対のＯＤＵ０をＯＤＴＵにマッピングして、ＯＤＴＵｖｋｔの外部構造がＯＤＴＵｋｔの外部構造と同一であるようにＯＤＴＵｖｋｔを形成し、マッピングおよび伝送ユニット１２は、ＯＤＴＵｖｋｔを１．２５ＧのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信する。２．５Ｇのタイムスロットのネットワークのみをサポートする装置がＯＤＵ２／３を受信した後、タイムスロットｉにおいて伝達される少なくとも一対のＯＤＵ０のタイプはＯＤＵｋとして表示されているので、このタイムスロット内のデータは先行技術におけるＯＤＵｋの処理方法に従って処理される。本発明におけるデータ送信方法によって、ＯＤＵ２／３は１．２５Ｇのタイムスロット構造を使用してＯＤＵ０を搬送するとき、ＯＤＵ０は２．５Ｇのタイムスロット構造のみをサポートする装置を通過することができる。従って、ＯＤＵ０は２．５Ｇのタイムスロット構造のみをサポートする装置において送信することができ、１．２５Ｇのタイムスロット構造はより広い範囲において適用可能である。
【００６３】
＜装置の実施形態２＞
この実施形態において、ネットワークノードが提供される。装置の実施形態１と比較して、この実施形態はより洗練されたマッピングユニット１１を提供する。図１０に表わされているように、マッピングユニット１１は、
データ取得ユニット１０によって取得された一対のＯＤＵ０におけるデータストリームをＯＤＴＵにマッピングしてＯＤＴＵｖｋｔを形成するように構成されたデータマッピングユニット１１０と、
一対のＯＤＵ０のＪＣ表示、対応するＪＯ表示、およびＦＡ表示をデータマッピングユニット１１０によって形成されたＯＤＴＵｖｋｔに付加するように構成された表示付加ユニット１１１と、を含む。
【００６４】
＜装置の実施形態３＞
この実施形態において、ネットワークノードが提供される。この実施形態におけるネットワークノードは１．２５Ｇのタイムスロット構造を有する。図１１に表わされているように、ネットワークノードは、
２．５Ｇのタイムスロット構造のネットワークノードによって送信されるＯＤＵｔを受信するように構成されたデータ受信ユニット３０を含み、ここでＯＤＵｔはＯＤＴＵを伝達し、ｔは２または３であり、
データ受信ユニット３０によって受信されたＯＤＵｔにおいて伝達されるＯＤＴＵが少なくとも一対のＯＤＵ０を含むか否かを判定するように構成された判定ユニット３１と、
ＯＤＴＵが少なくとも一対のＯＤＵ０を含むと判定ユニット３１が判定したならば、少なくとも一対のＯＤＵ０を取得するように構成された取得ユニット３２と、をさらに含む。
【００６５】
詳細な実施形態において、判定ユニット３１は、データ受信ユニット３０によって受信されたＯＤＵｔにおいて伝達されるＯＤＴＵが少なくとも一対のＯＤＵ０を含むか否かを判定するように構成された調査ユニット３１０と、調査ユニット３１０によって発見されたＦＡ表示を予め設定されたＦＡ表示と比較し、ＦＡ表示が少なくとも一対のＯＤＵ０のＦＡ表示と同一であるならば、ＯＤＴＵが少なくとも一対のＯＤＵ０を搬送していると判定するように構成された比較および判定ユニット３１１と、を含む。比較および判定ユニット３１１が判定した後、取得ユニット３２は少なくとも一対のＯＤＵ０を取得する。
【００６６】
データ受信ユニット３０は２．５Ｇのタイムスロット構造のネットワークノードによって送信されるＯＤＵｔを受信した後、ＯＤＵｔにおいて伝達されるＯＤＴＵｖｋｔおよびＯＤＴＵｋｔは同一の外部構造を共有する。判定ユニット３１はＯＤＵｔが一対のＯＤＵ１または一対のＯＤＵ０を伝達しているか否かを判定する必要がある。
【００６７】
＜システムの実施形態＞
この実施形態において、ＯＴＮにおいてデータを送信するシステムが提供される。図１２に表わされているように、このシステムは、送信ネットワークノード１００と、伝送ネットワークノード２００と、受信ネットワークノード３００と、を含む。この実施形態において、送信ネットワークノード１００および受信ネットワークノード３００は１．２５Ｇのタイムスロット構造を有し、伝送ネットワークノード２００は２．５Ｇのタイムスロット構造を有する。
【００６８】
送信ネットワークノード１００は、少なくとも一対のＯＤＵ０を取得し、少なくとも一対のＯＤＵ０をＯＤＴＵにマッピングしてＯＤＴＵｖｋｔを形成するように構成され、ここでｋは１以上であり、ｔは２または３であり、ＯＤＴＵｖｋｔの外部構造はＯＤＴＵｋｔの外部構造と同一であり、ＯＤＴＵｖｋｔを１．２５ＧのタイムスロットサイクルのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを伝送ネットワークノード２００に送信するように構成され、ここでｎは２．５ＧのタイムスロットサイクルのＯＤＵｔにおけるタイムスロット数である。
【００６９】
伝送ネットワークノード２００は、送信ネットワークノード１００によって送信されるＯＤＵｔを受信し、ＯＤＵｔを逆多重化してタイムスロットｉにおいて伝達されるＯＤＵのタイプについての表示を取得し、ＯＤＵのタイプがＯＤＵｋであると表示されているならば、ＯＤＵｋを処理する方法に従ってタイムスロットｉのデータを処理し、処理されたＯＤＵｔを受信ネットワークノード３００に送信するように構成される。
【００７０】
受信ネットワークノード３００は、ＯＤＵｔを受信し、ＯＤＵｔにおけるＯＤＴＵが少なくとも一対のＯＤＵ０を含むことを判定し、ＯＤＴＵから少なくとも一対のＯＤＵ０を取得するように構成される。
【００７１】
本発明の実施形態において、ネットワークノードは、少なくとも一対のＯＤＵ０をＯＤＴＵにマッピングして、ＯＤＴＵｖｋｔの外部構造がＯＤＴＵｋｔの外部構造と同一であるようにＯＤＴＵｖｋｔを形成し、ＯＤＴＵｖｋｔを１．２５ＧのＯＤＵｔのタイムスロットｉおよびタイムスロットｉ＋ｎにマッピングし、タイムスロットｉにおいて伝達される少なくとも一対のＯＤＵ０のタイプをＯＤＵｋであると表示し、ＯＤＵｋを宛先ノードに送信する。２．５Ｇのタイムスロットのネットワークのみをサポートする装置がＯＤＵ２／３を受信した後、タイムスロットｉにおいて伝達される少なくとも一対のＯＤＵ０のタイプはＯＤＵｋとして表示されているので、このタイムスロット内のデータは先行技術におけるＯＤＵｋの処理方法に従って処理される。本発明におけるデータ送信方法によって、ＯＤＵ２／３が１．２５Ｇのタイムスロット構造を使用してＯＤＵ０を搬送するとき、ＯＤＵ０は２．５Ｇのタイムスロット構造のみをサポートする装置を通過する。従って、ＯＤＵ０は２．５Ｇのタイムスロット構造のみをサポートする装置において送信することができ、１．２５Ｇのタイムスロット構造はより広い範囲において適用可能である。
【００７２】
上述した実施形態におけるステップの全部または一部はプログラムによって指示されるハードウェアによって実現することが可能であることをこの技術分野の当業者は理解することができる。このプログラムはリードオンリメモリ（ＲＯＭ）、ランダムアクセスメモリ（ＲＡＭ）、磁気ディスク、またはコンパクトディスク（ＣＤ）のようなコンピュータ読み取り可能な記憶媒体に格納することができる。
【００７３】
上記において本発明によるＯＴＮにおいてデータを送信する方法、システム、および装置が詳述された。本発明の実施形態におけるネットワークノードはユーザ装置およびサーバを含む。本発明はいくつかの例示の実施形態によって説明されたが、本発明はそのような実施形態に限定されない。この技術分野の当業者は本発明の思想および範囲から逸脱することなく本発明に修正および変形を行うことができることが明らかである。特許請求の範囲によって定義される保護範囲内およびその均等物の範囲内にあるならば、本発明は修正および変形をカバーする。
【符号の説明】
【００７４】
１０  データ取得ユニット
１１  マッピングユニット
１２  マッピングおよび伝送ユニット
３０  データ受信ユニット
３１  判定ユニット
３２  取得ユニット
１００  送信ネットワークノード
１１０  データマッピングユニット
１１１  表示付加ユニット
２００  伝送ネットワークノード
３００  受信ネットワークノード
３１０  調査ユニット
３１１  比較および判定ユニット
【図１】
0005547214.tif 000005
【図２】
0005547214.tif 000006
【図３】
0005547214.tif 000007
【図４】
0005547214.tif 000008
【図５】
0005547214.tif 000009
【図６】
0005547214.tif 000010
【図７】
0005547214.tif 000011
【図８】
0005547214.tif 000012
【図９】
0005547214.tif 000013
【図１０】
0005547214.tif 000014
【図１１】
0005547214.tif 000015
【図１２】
0005547214.tif 000016